(57)【要約】【課題】スピーカユニットの取り付けに際して、ねじ等の結合部品を排除して取り付け作業を簡略化すると共に部品管理を容易にすること、スピーカユニットを取り付け対象のパネルに取り付ける際の取り付け精度を向上させて、良好な音質を確保する。【解決手段】スピーカユニット３０のフランジ部３１の外周面に弾性を有する突起部３７が形成されている。この突起部３７は、フランジ部３１の外周面の複数箇所（本実施例では３箇所）に所定の間隔をもって配備されている。パネル２０側には、取り付け開口部２０Ａ周辺のパネル面上に前述した突起部３７が係合される係合収容部２１が形成されている。この係合収容部２１は、取り付け開口部２１Ａの周囲に間隔を開けて複数箇所（本実施例では３箇所）に形成されている。そして、フランジ部３１を取り付け開口部２０Ａのパネル上に当接して回動することによって、突起部３７を係合収容部２１内に係合させ、スピーカユニット３０をパネル２０に固定する。【選択図】        図２
2004180247.tif 000002
【特許請求の範囲】
【請求項１】
スピーカユニットの外周縁に形成されるフランジ部と、該フランジ部の外周面に形成される突起部と、前記スピーカユニットが取り付けられるパネルに形成された取り付け開口部と、該取り付け開口部周辺に形成され、前記パネルに前記フランジ部を当接させて回動することで前記突起部が係合される係合収容部とを備えることを特徴とするスピーカユニットの取り付け構造。
【請求項２】
前記係合収容部は、前記取り付け開口部周辺のパネル面上に間隔を空けて複数形成され、前記突起部は前記各係合収容部の間に対応するように複数配備されることを特徴とする請求項１記載のスピーカユニットの取り付け構造。
【請求項３】
前記突起部と前記パネルとの間に弾性部材を介在させることを特徴とする請求項１又は２に記載のスピーカユニットの取り付け構造。
【請求項４】
前記突起部と前記係合収容部の少なくとも一方は、回動止めのストッパ部を有することを特徴とする請求項１〜３のいずれかに記載のスピーカユニットの取り付け構造。
【請求項５】
前記突起部及び前記係合収容部は、係合状態の位置決め部を互いに有することを特徴とする請求項１〜４のいずれかに記載のスピーカユニットの取り付け構造。
【請求項６】
パネルに形成された取り付け開口部の周囲に当接して固定されるフランジ部を備えたスピーカユニットにおいて、
前記フランジ部の外周面には、前記パネルに当接した状態で回動することにより、前記取り付け開口部周辺に形成された係合収容部に係合する突起部が形成されることを特徴とするスピーカユニット。
【請求項７】
前記突起部は、前記スピーカユニットと一体の前記フランジ部に射出成形により一体成形されることを特徴とする請求項６に記載のスピーカユニット。
【請求項８】
取り付け開口部を有し、該取り付け開口部の周囲にスピーカユニットのフランジ部が当接して固定されるスピーカユニット取り付けパネルにおいて、
前記取り付け開口部周辺には、前記フランジ部が当接した状態で回動することにより、前記フランジ部の外周面に形成された突起部が係合する係合収容部が形成されることを特徴とするスピーカユニット取り付けパネル。
【請求項９】
前記係合収容部は、前記取り付け開口部周辺に射出成形により一体成形されることを特徴とする請求項８に記載のスピーカユニット取り付けパネル。
【発明の詳細な説明】
【０００１】
【発明の属する技術分野】
本発明は、スピーカユニットの取り付け構造に関するものである。
【０００２】
【従来の技術】
スピーカユニットは、一般に、図１に示されるような基本構造を備える。即ち、同図において、磁気回路部１がマグネット，下部プレート，上部プレート等によって構成されており、この磁気回路部１において形成された磁極間隙内にボイスコイルが巻装されたコイルボビン２が配置されている。コイルボビン２の上端付近には振動板３の中央部が固定されている。この振動板３の外周には環状のエッジ４が接続されており、このエッジ４を介して振動板９が、磁気回路部１上に装備されるスピーカフレーム５のフランジ部５Ａに取り付けられている。
【０００３】
エッジ４は、その外端に外端部４Ａが形成されており、フランジ部５Ａ上にこの外端部４Ａが載置され、ガスケットを兼ねるスペーサ６によって押さえつけられることで気密に取り付けられている。また、コイルボビン２にはスパイダ７の一端が接続され、このスパイダの他端をスピーカフレーム５に接続することで、コイルボビン２に巻かれたボイスコイルを磁気回路部１の磁極空隙内に正確に保持している。振動板３の中央には、コイルボビン２の頂部を塞ぐようにセンターキャップ８が設けられている。
【０００４】
このような基本構成を有するスピーカユニットの取り付け構造を車載用を例にして説明する。リアパーセルやドアパネル等のパネル１０に取り付け開口１０Ａが形成されており、この取り付け開口１０Ａ内にスピーカユニットが挿入された状態で、フランジ部５Ａがパネル１０上に当接されて、このフランジ部５Ａ上にスペーサ６を介してグリル１１が載置されている。そして、グリル１１，スペーサ６，フランジ部５Ａを貫通するねじ部材１２によって、スピーカフレーム５をパネル１０に対して固定している（下記特許文献１，２参照）。
【０００５】
【特許文献１】
特開平１０−３０８９９０号公報
【特許文献２】
特開平１０−７６８８３号公報
【０００６】
【発明が解決しようとする課題】
このようなスピーカユニットの取り付け構造によると、パネル１０に対してスピーカフレーム５を取り付けるに際して、ねじ部材１２等の結合部品或いはそれを取り付けるための取り付け工具が必要となり、取り付け作業に時間が掛かると共に別途必要になる結合部品の部品管理が煩雑になるという問題がある。また、ねじ部材１２等の結合部品の締め付け具合によって、振動板３背面の気密性又はエンクロージャとなるパネル１０への取り付け精度が変わってしまうので、スピーカ装置としての音質にも影響が出るという問題がある。
【０００７】
本発明は、このような問題に対処することを課題の一例とするものである。すなわち、スピーカユニットの取り付けに際して、ねじ等の結合部品を排除して取り付け作業を簡略化すると共に部品管理を容易にすること、スピーカユニットを取り付け対象のパネルに取り付ける際の取り付け精度を向上させて、良好な音質を確保すること等を目的とするものである。
【０００８】
【課題を解決するための手段】
このような目的を達成するために、本発明は、以下の各独立請求項に係る構成を少なくとも具備するものである。
【０００９】
第１には（請求項１）、スピーカユニットの取り付け構造において、スピーカユニットの外周縁に形成されるフランジ部と、該フランジ部の外周面に形成される突起部と、前記スピーカユニットが取り付けられるパネルに形成された取り付け開口部と、該取り付け開口部周辺に形成され、前記パネルに前記フランジ部を当接させて回動することで前記突起部が係合される係合収容部とを備えることを特徴とする。
【００１０】
第２には（請求項５）、パネルに形成された取り付け開口部の周囲に当接して固定されるフランジ部を備えたスピーカユニットにおいて、前記フランジ部の外周面には、前記パネルに当接した状態で回動することにより、前記取り付け開口部周辺に形成された係合収容部に係合する突起部が形成されることを特徴とする。
【００１１】
第３には（請求項７）、取り付け開口部を有し、該取り付け開口部の周囲にスピーカユニットのフランジ部が当接して固定されるスピーカユニット取り付けパネルにおいて、前記取り付け開口部周辺には、前記フランジ部が当接した状態で回動することにより、前記フランジ部の外周面に形成された突起部が係合する係合収容部が形成されることを特徴とする。
【００１２】
【発明の実施の形態】
以下、本発明の実施形態を説明する。本発明の実施形態は、以下の特徴を具備するものである。
【００１３】
第１には、前述したように、スピーカユニットの取り付け構造において、スピーカユニットの外周縁に形成されるフランジ部と、該フランジ部の外周面に形成される突起部と、前記スピーカユニットが取り付けられるパネルに形成された取り付け開口部と、該取り付け開口部周辺に形成され、前記パネルに前記フランジ部を当接させて回動することで前記突起部が係合される係合収容部とを備えることを特徴とする。
【００１４】
これによると、スピーカユニットのフランジ部を取り付け対象のパネルに形成された取り付け開口部の周囲に当接させ、この状態でパネルに対してフランジ部を回動させることにより、フランジ部の外周面に形成された突起部が取り付け開口部周辺に形成された係合収容部に係合されることになり、この係合によってスピーカユニットを取り付け対象のパネルに取り付け固定することが可能になる。
【００１５】
したがって、スピーカユニットの固定に際して、ねじ等の結合部品が不用になり、取り付け作業を簡易に行うことができると共に、結合部品を排除することで部品管理の手間が無くなり、取り付け作業を円滑に行うことが可能になる。
【００１６】
また、突起部を係合収容部に係合させるだけでスピーカユニットとパネルとを固定するので、スピーカユニットのフランジ部とパネルの表面との当接状態は、作業者の技量或いは力加減とは無関係に均一になり、高精度の取り付けが可能になる。したがって、スピーカ装置の音質に対する取り付け具合の影響を排除することができ、良質な音質のスピーカ装置を得ることが可能になる。
【００１７】
なお、ここでは、スピーカユニットとパネルとの取り付け関係は、パネルに形成された取り付け開口部にスピーカユニットを挿入して、パネルの表面でフランジ部の背面を受けるような取り付け関係であっても良いし、或いはパネルの裏面にスピーカユニットのフランジ部表面を当接させるような取り付け関係であっても良い。
【００１８】
第２には、第１の特徴と併せて、前記係合収容部は、前記取り付け開口部周辺のパネル面上に間隔を空けて複数形成され、前記突起部は前記各係合収容部の間に対応するように複数配備されることを特徴とする。つまり、取り付け開口部周辺に複数形成された係合収容部の間に、フランジ部に複数形成された突起部を対応させて、フランジ部をパネルに当接させ、この状態でパネルに対してフランジ部を回動させることで複数の突起部がそれに対応する係合収容部に係合されることになる。これによると、前述の特徴と併せて、複数の突起部と係合収容部による取り付けであるので、より確実且つ安定的な取り付けが可能になる。
【００１９】
第３には、前述の特徴と併せて、前記突起部と前記パネルとの間に弾性部材を介在させることを特徴とする。これによると、弾性部材の弾性圧接力によって、突起部を係合収容部内で安定して係合させることができる。また、弾性部材を振動吸収作用のあるものにすることによって、スピーカユニットからの振動がパネルに伝わって生じる阻害音を防止することができる。
【００２０】
第４には、前述の特徴と併せて、前記突起部と前記係合収容部の少なくとも一方は、回動止めのストッパ部を有することを特徴とする。これによると、完全な係合状態をストッパ部による回動止めの状態によって確認することができるので、簡易な作業で取り付け作業の精度を向上させることができる。
【００２１】
第５には、前述の特徴と併せて、前記突起部及び前記係合収容部は、係合状態の位置決め部を互いに有することを特徴とする。これによると、完全な係合状態を位置決め部の位置決め状態によって確認することができるので、簡易な作業で取り付け作業の精度を向上させることができる。
【００２２】
第６には、前述したように、パネルに形成された取り付け開口部の周囲に当接して固定されるフランジ部を備えたスピーカユニットにおいて、前記フランジ部の外周面には、前記パネルに当接した状態で回動することにより、前記取り付け開口部周辺に形成された係合収容部に係合する突起部が形成されることを特徴とする。これによると前述した特徴の取り付けが可能なスピーカユニットを得ることができる。
【００２３】
このスピーカユニットは、フレームと一体のフランジ部と前述の突起部とを射出成形により一体成形することが可能であり、これによると、一般的な構造のスピーカユニットと同様のコストで前述した良好な取り付けが可能なスピーカユニットを得ることができる。
【００２４】
第７には、前述したように、取り付け開口部を有し、該取り付け開口部の周囲にスピーカユニットのフランジ部が当接して固定されるスピーカユニット取り付けパネルにおいて、前記取り付け開口部周辺には、前記フランジ部が当接した状態で回動することにより、前記フランジ部の外周面に形成された突起部が係合する係合収容部が形成されることを特徴とする。これによると前述した特徴の取り付けが可能なスピーカユニット取り付けパネルを得ることができる。
【００２５】
このスピーカユニット取り付けパネルは、パネルと前述の係合収容部とを射出成形により一体成形することが可能であり、これによると、一般的な構造の取り付けパネルと同様のコストで前述した良好な取り付けが可能なスピーカユニット取り付けパネルを得ることができる。
【００２６】
【実施例】
以下に、前述した実施形態を更に具体化した実施例を図面を参照して説明する。図２は本発明の一実施例に係るスピーカユニットの取り付け構造を示す説明図であり、図３はそのＡ−Ａ断面図、図４はそのＢ−Ｂ断面図、図５はそのＣ−Ｃ断面図を示している。
【００２７】
この実施例では、パネル２０に対してスピーカユニット３０を取り付ける構造を示している。パネル２０には取り付け開口部２０Ａが形成されており、このスピーカユニット３０を取り付け開口部２０Ａ内に挿入することによって、スピーカユニット３０のフランジ部３１における背面側を、パネル２０における取り付け開口２０Ａの周囲に当接させるようにしている。スピーカユニット３０の構成自体は、図１の従来技術と同様のものであっても良いし、他の形態のものであっても良い。図示しているものでは、スピーカフレーム３２の外周縁に形成される前述のフランジ部３１に、ガスケット３３によってエッジ３４の外端部が押圧固定されており、エッジ３４の内端部に振動板３５が接続され、振動板３５の中央にセンターキャップ３６を設けたものである。
【００２８】
そして、この実施例では、スピーカユニット３０におけるフランジ部３１の外周面に弾性を有する突起部３７が形成されている。この突起部３７は、フランジ部３１の外周面の複数箇所（本実施例では３箇所）に所定の間隔をもって配備されており、各突起部３７は円弧状に所定の長さを有すると共にフランジ部３１の外周面と垂直な方向に所定の幅をもって形成されている。
【００２９】
一方、パネル２０側には、図６に示すように、取り付け開口部２０Ａ周辺のパネル面上に前述した突起部３７が係合される係合収容部２１が形成されている。この係合収容部２１は、取り付け開口部２１Ａの周囲に間隔を空けて複数箇所（本実施例では３箇所）に形成されている。また、本実施例では、このようなパネル２０の取り付け開口部２０Ａ周辺で、図２〜図５に示されるような弾性リング２２が係合収容部２１の内側におけるパネル面上に装備されている。この弾性リング２２としては、スピーカユニット３０側のフランジ部３１及び突起部３７とパネル２０の当接面との間に介在するように設けられており、適当な弾性反発力を有すると共に振動を吸収する作用を有するスポンジ材等が用いられる。
【００３０】
図２〜図５では、パネル２０に対してスピーカユニット３０を取り付けた状態を示している。これによると、パネル２０の取り付け開口部２０Ａ内に、スピーカユニット３０を挿入して、フランジ部３１の背面を取り付け開口部２０Ａ周辺のパネル面上に設けた弾性リング２２上に当接し、スピーカユニット３０側の突起部３７をパネル２０側の係合収容部２１内に係合することで、パネル２０にスピーカユニット３０を取り付け固定している。この実施例においては、弾性リング２２の厚さ方向の弾性圧接力を利用して、突起部３７を係合収容部２１内の上面に押圧させるようにしているので、取り付け時のがたつきが無く、安定した取り付けを可能にしている。また、突起部３７とパネル３０の当接面との間に介在する弾性リング２２を振動吸収作用のあるものにすることで、スピーカユニット３０からの振動がパネル２０に伝わるのを防止することができ、パネル２０が振動することによって生じる阻害音を排除することができる。
【００３１】
このようなスピーカユニット３０の取り付け構造における取り付け方法を図７を参照しながら説明する。まず、パネル２０の取り付け開口部２０Ａ内にスピーカユニット３０を挿入して、取り付け開口部２０Ａの周囲に間隔を空けて形成されている係合収容部２１の間に位置するように、フランジ部３１に形成した突起部３７を配置させる。そして、突起部３７の背面を弾性リング２２の表面に当接した状態で、押し付けながらパネル２０に対してフランジ部３１を矢印方向に回動させる。これによって、突起部３７が係合収容部２１内に挿入され、押し付けを解放すると突起部３７が係合収容部２１内で圧接された状態で係合されることになる。
【００３２】
また、この実施例においては、突起部３７の端部にストッパ部３７Ａが形成されており、パネル２０に対するフランジ部３１の回動に対して、係合が完了した状態で回動を止めることができるようにしている。なお、このようなストッパ部は突起部３７側ではなく係合収容部２１側に設けてもよい。
【００３３】
更には、この実施例においては、突起部３７側に形成された凸部３７Ｂと係合収容部２１側に形成された凹部２１Ａからなる位置決め部が形成されている。これによると、凹部２１Ａに凸部３７Ｂが嵌り合って位置決めがなされた時点で係合が完了したことを確認できる。
【００３４】
このような実施例によると、スピーカユニット３０の固定に際して、ねじ等の結合部品が不用になり、取り付け作業を簡易に行うことができると共に、結合部品を排除することで部品管理の手間が無くなり、取り付け作業を円滑に行うことが可能になる。
【００３５】
また、突起部３７を係合収容部２１に係合させるだけでスピーカユニット３０とパネル２０とを固定するので、スピーカユニット３０のフランジ部３１とパネル２０の表面との当接状態は、作業者の技量或いは力加減とは無関係に均一になり、高精度の取り付けが可能になる。したがって、スピーカ装置の音質に対する取り付け具合の影響を排除することができ、良質な音質のスピーカ装置を得ることが可能になる。
【００３６】
なお、実施例では、パネル２０に形成された取り付け開口部２０Ａにスピーカユニット３０を挿入して、パネル２０の表面でフランジ部３１の背面を受けるようにしているが、他の実施例としては、パネル２０の裏面にスピーカユニット３０のフランジ部２１の表面を当接させるような取り付けであっても良い。
【００３７】
また、本実施例では、完全な係合状態をストッパ部３７Ａによる回動止めの状態によって確認することができるので、簡易な作業で取り付け作業の精度を向上させることができる。更に、突起部３７及び係合収容部２１は、凸部３７Ｂと凹部２１Ａによる位置決め部を互いに有するので、完全な係合状態を位置決め部の位置決め状態によって確認することができ、これによっても、簡易な作業で取り付け作業の精度を向上させることができる。
【００３８】
フランジ部３１と突起部３７或いはパネル２０と係合収容部２１とは射出成形等により一体成形することが可能であり、これによると、一般的な構造のスピーカユニット或いは取り付けパネルと同様のコストで良好な取り付け構造を得ることができる。
【図面の簡単な説明】
【図１】従来技術の説明図である。
【図２】本発明の実施例に係るスピーカユニットの取り付け構造を示す説明図（平面図）である。
【図３】本発明の実施例に係るスピーカユニットの取り付け構造を示す説明図（Ａ−Ａ断面図）である。
【図４】本発明の実施例に係るスピーカユニットの取り付け構造を示す説明図（Ｂ−Ｂ断面図）である。
【図５】本発明の実施例に係るスピーカユニットの取り付け構造を示す説明図（Ｃ−Ｃ断面図）である。
【図６】本発明の実施例に係るスピーカユニットの取り付け構造パネル構造を示す説明図である。
【図７】本発明の実施例に係るスピーカユニットの取り付け構造における取り付け方法を示す説明図である。
【符号の説明】
２０  パネル
２０Ａ  取り付け開口部
２１  係合収容部
２１Ａ  凹部（位置決め部）
２２  弾性リング
３０  スピーカユニット
３１  フランジ部
３７  突起部
３７Ａ  ストッパ部
３７Ｂ  凸部（位置決め部）
【図１】
2004180247.tif 000003
【図２】
2004180247.tif 000004
【図３】
2004180247.tif 000005
【図４】
2004180247.tif 000006
【図５】
2004180247.tif 000007
【図６】
2004180247.tif 000008
【図７】
2004180247.tif 000009